(57)【要約】【課題】ケーブルのピンを挟み込む構造を用いることなく、確実な電気的接続が得られるとともに、金属板を簡単な加工でコンタクト端子にすることを可能とする、コストの低いＦコネクタを提供する。【解決手段】導電性のシェル４の中空部３内に、ケーブルのピン１０５と接触して電気的接続を構成するコンタクト端子７を備え、このコンタクト端子７のコンタクト部６は、金属製の単板により構成されるとともに、単板が所定の形状に変形された変形部６ａを有し、この変形部６ａが開口部５に対向する位置に配置されている。【選択図】図１
2008041273.tif 000002
【特許請求の範囲】
【請求項１】
ケーブルへの接続用のネジを外周に供え、内部に中空部を有する導電性のシェルと、
前記シェルの一方の端に形成され、前記中空部と連通して前記ケーブルのピンを受け入れる開口部と、
前記シェルの他方端において前記シェルより突出し、前記中空部において前記ケーブルのピンと接触して電気接続を構成するコンタクト部を含むコンタクト端子と、
前記コンタクト端子を、前記中空部内において、前記シェルと電気的に絶縁状態で支持する樹脂モールド部と、を備え、
前記コンタクト端子は、金属製の単板により構成されるとともに、単板が所定の形状に変形された変形部を有し、前記変形部が前記開口部に対向する位置に配置された、Ｆコネクタ。
【請求項２】
前記変形部を構成する金属製の単板が、円弧状に成形されている、請求項１に記載のＦコネクタ。
【請求項３】
前記変形部が、その端部に折り返し部を含む、請求項１に記載のＦコネクタ。
【請求項４】
前記変形部が、前記開口部に対向する位置において穴を含む、請求項１〜３のいずれかに記載の、Ｆコネクタ。
【請求項５】
前記樹脂モールド部が、前記変形部に当接する支点用リブを含む、請求項１〜４のいずれかに記載のＦコネクタ。
【請求項６】
前記変形部を構成する金属製の単板が、蛇腹状に成形されている、請求項１に記載のＦコネクタ。
【請求項７】
前記変形部が、前記開口部に対向する位置において、前記ケーブルのピンと垂直な形状を備えた、請求項６に記載のＦコネクタ。
【請求項８】
前記変形部が前記開口部に対向する位置において、前記ケーブルのピンと垂直な形状を備え、前記垂直な形状の部分のケーブルのピンとの接触面に円形状の凹部を有する請求項６に記載のＦコネクタ。
【請求項９】
請求項１〜８のいずれかに記載のＦコネクタを搭載した、Ｆコネクタ搭載製品。
【発明の詳細な説明】
【技術分野】
【０００１】
本発明は、地上波テレビ放送や衛星放送などに使用されるチューナやコンバータ等の機器において、アンテナ等を接続するために必要なケーブルへの接続用のＦコネクタ、および、それを搭載したＦコネクタ搭載製品に関するものである。
【背景技術】
【０００２】
まず、従来のＦコネクタの構造について、図１６、図１７および図１８を用いて説明する。従来のＦコネクタ１００は、アンテナ等を接続するために必要なケーブル１０１への接続を行なうため、ケーブル本体１０２のネジ１０２ａと螺合するネジ１０３を外周に備えており、内部には中空部１０４が形成されている。また中空部１０４と連通してケーブル１０１のピン１０５を受け入れる開口部１０６が設けられている。
【０００３】
中空部１０４には、ケーブル１０１のピン１０５と接触して電気接続を構成するコンタクト部１０７を備えたコンタクト端子１０８が、外側のコネクタ本体１０９とは電気的に絶縁した状態で樹脂モールド部１１０により固定されている。ケーブル１０１とＦコネクタ１００との接続は、ケーブル本体１０２を回転させて、ネジ１０２ａをＦコネクタ１００のネジ１０３に螺合させ、ケーブル１０１のピン１０５とコンタクト端子１０８とを接触させることによって行なわれていた。
【０００４】
このような従来のＦコネクタ１００では、図１７に示すように、コンタクト端子１０８は、ピン１０５を挟み込む様な構造となっている。このようなコンタクト端子１０８の構造は、図１８（ａ）、（ｂ）、（ｃ）に示すように、端子用の金属板１１１に、折り曲げ線Ｘにおいて折り曲げ加工を施して成形していた（たとえば特許文献１参照）。このように、従来は、電気的接続を図るためのコンタクト端子を、金属板を折り曲げて形成するのが一般的であった。
【特許文献１】特開平９−２１９２３２号公報
【発明の開示】
【発明が解決しようとする課題】
【０００５】
上記従来のＦコネクタにおいて、コンタクト端子を製造するためには、図１８に示すように、金属板を所定形状に成形し、その後折り曲げ加工を行なう必要があり、製造のためのコストが高くなるという問題点を有していた。
【０００６】
本発明は、このようなコンタクト端子の構造を改良し、Ｆコネクタに適した構造にすることにより、ケーブルのピンを挟み込む構造を用いることなく、確実な電気的接続が得られるようにするとともに、金属板に簡単な加工を加えてコンタクト端子を形成することを可能にすることにより、コストの低いＦコネクタおよびそれを搭載したＦコネクタ搭載製品を提供することを目的とする。
【課題を解決するための手段】
【０００７】
上記課題を解決する本発明のＦコネクタは、ケーブルへの接続用のネジを外周に供え、内部には中空部を供えた導電性のシェルと、シェルの一方の端に形成され、中空部と連通してケーブルのピンを受け入れる開口部と、シェルの他方端においてシェルより突出し、中空部においてケーブルのピンと接触して電気接続を構成するコンタクト部を備えたコンタクト端子と、コンタクト端子を中空部内でシェルとは電気的に絶縁状態で支持する樹脂モールド部とを備える。コンタクト端子およびコンタクト部は、金属製の単板により構成されるとともに、単板が所定の形状に変形された変形部を有し、この変形部が開口部に対向する位置に配置されている。
【０００８】
また、このようなＦコネクタにおいて、変形部は金属製の単板が円弧状に成形された構成、あるいは変形部が開口部に対向する位置において穴を備えた構成、さらに変形部は金属製の単板が蛇腹状に成形された構成を備えてもよい。さらに変形部が開口部に対向する位置において、ケーブルのピンと垂直な形状を備えた構成、変形部が開口部に対向する位置において、ケーブルのピンと接触する面に円形状の凹部を設けた構成を有してもよい。
【発明の効果】
【０００９】
本発明においては、上述のようにコンタクト端子の構造が、金属製の単板により構成されるとともに、単板が所定の形状に変形された変形部を有し、変形部が開口部に対向する位置に配置された構成を有しており、従来のようなケーブルのピンを挟み込む構造を用いないため、金属板を簡単な加工でコンタクト端子にすることを可能とする、コストの低いＦコネクタを提供することができる。
【発明を実施するための最良の形態】
【００１０】
（実施の形態１）
本発明の実施の形態１を図１および図２を用いて以下に説明する。図１（ａ）は本発明の実施の形態１におけるＦコネクタの側断面図、図１（ｂ）は本発明の実施の形態１におけるＦコネクタの別の状態における側断面図である。本実施の形態におけるＦコネクタ１は、アンテナ等を接続するために必要なケーブル（図示せず）への接続用のネジ２を外周に供え、内部には中空部３を備えた導電性のシェル４を備えている。シェル４の一方の端には、中空部３と連通し、ケーブルのピン１０５を受け入れる開口部５が形成されている。シェル４の他方端には、シェル４より突出し、中空部３においてケーブルのピン１０５と接触して電気接続を構成するコンタクト部６を備えたコンタクト端子７が配置されている。このコンタクト端子７は、中空部３内でシェル４とは電気的に絶縁状態で樹脂モールド部８により支持されている。また、コンタクト端子７およびコンタクト部６は、金属製の単板により構成され、単板が所定の形状に変形された変形部６ａを有し、変形部６ａが開口部５に対向する位置に配置された構成となっている。
【００１１】
このようなＦコネクタ１においては、コンタクト部６の変形部６ａは金属製の単板が円弧状に成形された構成であるため、コンタクト部６が弾性（バネ性）を有している。そのため、コンタクト端子がケーブルのピン１０５を挟み込む構造を用いることなく、コンタクト端子７のコンタクト部６とケーブルのピン１０５との間で、十分な電気的接続を得ることができる。
【００１２】
（実施の形態２）
次に、本発明の実施の形態２を、図３および図４を用いて説明する。図３（ａ）および（ｂ）は、本発明の実施の形態２におけるＦコネクタの側断面図である。本実施の形態２において、実施の形態１におけるＦコネクタと同一の構成は、同一の番号を付し、説明を省略する。本実施の形態におけるＦコネクタ１０では、コンタクト部１１を備えたコンタクト端子１２において、変形部１１ａには、開口部５に対向する位置において穴１３を備えている。このように、コンタクト端子１２のコンタクト部１１の変形部１１ａに穴１３を設けることにより、ケーブルのピン１０５に対する接触を安定させることができる。
【００１３】
（実施の形態３）
次に、本発明の実施の形態３を、図５および図６を用いて説明する。図５（ａ）および（ｂ）は本発明の実施の形態３におけるＦコネクタの側断面図である。本実施の形態３において、実施の形態１および２におけるＦコネクタと同一の構成は、同一の番号を付し、説明を略する。本実施の形態におけるＦコネクタ１４では、コンタクト部１５を備えたコンタクト端子１６において、変形部１５ａには、長手方向に直角な端部に折り返し部１７を備えている。このように、コンタクト端子１６の変形部１５ａに折り返し部１７を設けることにより、コンタクト部１５の強度を増すことができる。
【００１４】
（実施の形態４）
次に、本発明の実施の形態４を、図７および図８を用いて以下に説明する。図７（ａ）および（ｂ）は、本発明の実施の形態４におけるＦコネクタの側断面図である。本実施の形態４において、実施の形態１、２および３におけるＦコネクタと同一の構成は、同一の番号を付し、説明を略する。本実施の形態におけるＦコネクタ１８では、コンタクト部１９を備えたコンタクト端子２０において、変形部１９ａには、開口部５に対向する位置において穴１３を備えている。また、さらに変形部１９ａにおける長手方向に直角な端部に折り返し部１７を備えている。このように、コンタクト端子１６の変形部１５ａに折り返し部１７を設けることにより、コンタクト部１５の強度を増すことができると同時に、穴１３を設けることによりケーブルのピン１０５に対する接触を安定させることができる。
【００１５】
（実施の形態５）
次に、本発明の実施の形態５を、図９および図１０を用いて説明する。図９（ａ）および（ｂ）は本発明の実施の形態５におけるＦコネクタの側断面図である。本実施の形態５において、実施の形態１におけるＦコネクタと同一の構成は、同一の番号を付し、説明を略する。本実施の形態におけるＦコネクタ２１では、コンタクト部２２を備えたコンタクト端子２３において、変形部２３ａは金属製の単板が蛇腹状に成形された構成となっている。このように、Ｆコネクタ２１において、コンタクト端子２３の変形部２２ａを蛇腹状に成形することにより、コンタクト部２２がケーブルのピン１０５と接触する際に、ピン１０５に当たることによってコンタクト部２２に生じる撓み力を、分散させることができる。
【００１６】
（実施の形態６）
次に、本発明の実施の形態６を、図１１および図１２を用いて説明する。図１１（ａ）および（ｂ）は、本発明の実施の形態６におけるＦコネクタの側断面図である。実施の形態６において、実施の形態１または５におけるＦコネクタと同一の構成は、同一の番号を付し、説明を略する。本実施の形態におけるＦコネクタ２４では、コンタクト部２５を備えたコンタクト端子２６において、変形部２５ａが開口部５に対向する位置において、ケーブルのピン１０５と垂直な形状部分２７を備えている。
【００１７】
変形部２５ａは金属製の単板が蛇腹状に成形された構成となっているとともに、ピン１０５と垂直な形状部分２７を備えているので、ピン１０５とコンタクト部２５との接触を安定させることができる。
【００１８】
（実施の形態７）
次に、本発明の実施の形態７を、図１３および図１４を用いて説明する。図１３（ａ）および（ｂ）は、本発明の実施の形態７におけるＦコネクタの側断面図である。本実施の形態７において、実施の形態１または６におけるＦコネクタと同一の構成は、同一の番号を付し、説明を省略する。本実施の形態におけるＦコネクタ２８は、金属製の単板により構成されるコンタクト部２９を備えた、コンタクト端子３０を備える。コンタクト部２９の変形部２９ａにおいては、金属製の単板が蛇腹状に成形されている。変形部２９ａが開口部５に対向する位置には、ケーブルのピン１０５と垂直な形状部分２７を備える。また、変形部２９ａの開口部５に対向する位置の、ケーブルのピン１０５と接触する面には、円形状の凹部３１が設けられている。
【００１９】
このように、本実施の形態のＦコネクタによれば、コンタクト部２９の変形部２９ａに、ピン１０５と垂直な形状の部分２７を含み、当該部分２７のケーブルのピン１０５との接触面に円形状の凹部３１を設けることにより、ピン１０５が凹部３１に当接する際に、ピン１０５を凹部３１の中心に移動させることができる。そのため、ピン１０５とコンタクト部２９との接触を安定させることができる。
【００２０】
（実施の形態８）
次に、本発明の実施の形態８について、図１５を用いて説明する。図１５は、本発明の実施の形態８におけるＦコネクタの側断面図である。本実施の形態において、実施の形態１におけるＦコネクタと同一の構成は、同一の番号を付し、説明を略する。本実施の形態におけるＦコネクタ３２では、変形部６に当接する支点用リブ３３を樹脂モールド部３３が備えている。支点用リブ３３を設けることで、支点用リブ３３がコンタクト端子７の変形部６の撓みの支点となり、変形部６の撓み部分を安定させることができる。
【００２１】
なお、上述の各実施の形態におけるＦコネクタはいずれも、地上波テレビ放送や衛星放送などに使用されるチューナやコンバータ等の機器に適用される、アンテナ等を接続するために必要な端子を備えた入出力装置や、チューナを用いた受信機に搭載することが可能である。
【産業上の利用可能性】
【００２２】
本発明によれば、従来のようなケーブルのピンを挟み込む様な構造を用いないので、金属板を少ない加工でコンタクト端子に構成することが可能で、コストの低いＦコネクタを提供することができるので、地上波テレビ放送や衛星放送などの受信が可能な受信機やコンバータなど、アンテナ等への接続が必要な機器に広く利用可能である。
【図面の簡単な説明】
【００２３】
【図１】（ａ）は本発明の実施の形態１におけるＦコネクタの側断面図、（ｂ）は本発明の実施の形態１におけるＦコネクタの別の状態における側断面図である。
【図２】（ａ）は本発明の実施の形態１におけるＦコネクタのコンタクト端子の側面図、（ｂ）は本発明の実施の形態１におけるＦコネクタのコンタクト端子の斜視図である。
【図３】（ａ）は本発明の実施の形態２におけるＦコネクタの側断面図、（ｂ）は本発明の実施の形態２におけるＦコネクタの別の状態における側断面図である。
【図４】（ａ）は本発明の実施の形態２におけるＦコネクタのコンタクト端子の側断面図、（ｂ）は本発明の実施の形態２におけるＦコネクタのコンタクト端子の斜視図である。
【図５】（ａ）は本発明の実施の形態３におけるＦコネクタの側断面図、（ｂ）は本発明の実施の形態３におけるＦコネクタの別の状態における側断面図である。
【図６】（ａ）は本発明の実施の形態３におけるＦコネクタのコンタクト端子の側断面図、（ｂ）は本発明の実施の形態３におけるＦコネクタのコンタクト端子の斜視図である。
【図７】（ａ）は本発明の実施の形態４におけるＦコネクタの側断面図、（ｂ）は本発明の実施の形態４におけるＦコネクタの別の状態における側断面図である。
【図８】（ａ）は本発明の実施の形態４におけるＦコネクタのコンタクト端子の側断面図、（ｂ）は本発明の実施の形態４におけるＦコネクタのコンタクト端子の斜視図である。
【図９】（ａ）は本発明の実施の形態５におけるＦコネクタの側断面図、（ｂ）は本発明の実施の形態５におけるＦコネクタの別の状態における側断面図である。
【図１０】（ａ）は本発明の実施の形態５におけるＦコネクタのコンタクト端子の側面図、（ｂ）は本発明の実施の形態５におけるＦコネクタのコンタクト端子の斜視図である。
【図１１】（ａ）は本発明の実施の形態６におけるＦコネクタの側断面図、（ｂ）は本発明の実施の形態６におけるＦコネクタの別の状態における側断面図である。
【図１２】（ａ）は本発明の実施の形態６におけるＦコネクタのコンタクト端子の側面図、（ｂ）は本発明の実施の形態６におけるＦコネクタのコンタクト端子の斜視図である。
【図１３】（ａ）は本発明の実施の形態７におけるＦコネクタの側断面図、（ｂ）は本発明の実施の形態７におけるＦコネクタの別の状態における側断面図である。
【図１４】（ａ）は本発明の実施の形態７におけるＦコネクタのコンタクト端子の側断面図、（ｂ）は本発明の実施の形態７におけるＦコネクタのコンタクト端子の斜視図である。
【図１５】本発明の実施の形態８におけるＦコネクタの側断面図である。
【図１６】従来技術におけるＦコネクタとケーブルの側断面図である。
【図１７】従来技術におけるＦコネクタの側断面図である。
【図１８】従来技術におけるＦコネクタの各製造工程におけるコンタクト端子を示す図であり、（ａ）は同Ｆコネクタの平面図、（ｂ）は同Ｆコネクタの別の状態における平面図、（ｃ）は同Ｆコネクタの側面図、（ｄ）は同Ｆコネクタの斜視図である。
【符号の説明】
【００２４】
１，１０，１４，１８，２１，２４，２８，３２  Ｆコネクタ、２  ケーブルへの接続用のネジ、３  中空部、４  シェル、５  開口部、６，１５，１９，２２，２５，２９  コンタクト部、６ａ，１５ａ，１９ａ，２２ａ，２５ａ，２９ａ  変形部、１３  穴、１７  折り返し部、２７  垂直な形状部分、３１  円形状の凹部、３３  支点用リブ、１０５  ピン。
【図１】
2008041273.tif 000003
【図２】
2008041273.tif 000004
【図３】
2008041273.tif 000005
【図４】
2008041273.tif 000006
【図５】
2008041273.tif 000007
【図６】
2008041273.tif 000008
【図７】
2008041273.tif 000009
【図８】
2008041273.tif 000010
【図９】
2008041273.tif 000011
【図１０】
2008041273.tif 000012
【図１１】
2008041273.tif 000013
【図１２】
2008041273.tif 000014
【図１３】
2008041273.tif 000015
【図１４】
2008041273.tif 000016
【図１５】
2008041273.tif 000017
【図１６】
2008041273.tif 000018
【図１７】
2008041273.tif 000019
【図１８】
2008041273.tif 000020